(57)【要約】【課題】座を支持するフロントフレーム（座支柱）と背もたれが取り付くリアフレーム（背支柱）とを、ベースに美麗かつ強固に固定する。【解決手段】ベース５はアルミ製であり、略角形のブロック状の形態である。左右のフロントフレーム６は基部６ａ介して一体に繋がっており、左右のリアフレーム７は互いに分離していて、左右リアフレーム７の基部７ａは１枚板状に当接している。フロントフレーム６とリアフレーム７とは、全体としてベース５を囲う壁を有しており、基部６ａ，７ａがボルト１４，１６でベース５に固定されている。フロントフレーム６及びリアフレーム７とベース５とは、凹部１１，１２と凸部１３，１５との嵌まり合い等によって位置決めされている。【選択図】図４
2020018573.tif 000002
【特許請求の範囲】
【請求項１】
座と背もたれ、及び前記座の下方に配置されていて脚装置にて支持されているベースを備えており、前記ベースに、前記座が取り付くフロントフレームと、前記背もたれが取り付くリアフレームとを固定している構成であって、
前記フロントフレームとリアフレームとのうちいずれか一方又は両方に、前記ベースに上から重なる基部が一体に形成されており、前記基部とベースには、互いに嵌合して前記基部を水平方向にずれ不能に保持する位置決め手段が形成されており、前記基部をボルトで前記ベースに固定している、
椅子。
【請求項２】
前記ベースに、前記位置決め手段として凹部が形成されて、前記フロントフレーム及びリアフレームの基部に、前記凹部と嵌まり合う凸部が形成されており、前記凹部と凸部との箇所において前記基部が前記ボルトでベースに固定されている、
請求項１に記載した椅子。
【請求項３】
前記リアフレームは、前記背もたれの左側方に位置した左背支柱を有する左リアフレームと、前記背もたれの右側方に位置した右背支柱を有する右リアフレームとに分離しており、前記左右のリアフレームにそれぞれ前記基部を一体に設けて、前記左右の基部が、横向きに突出したボスと横向きに開口したボス穴との嵌合わせによって前後ずれ不能に保持されている、
請求項１又は２に記載した椅子。
【請求項４】
前記左右リアフレームの基部には、前記ベースの側面に重なるサイド壁と、前記ベースの後面に重なる後ろ壁とが形成されており、前記左右のサイド壁に、前記ベースの側面に向けて開口したサイド係合溝を形成している一方、前記ベースの左右側面には、前記サイド係合溝に嵌合するサイド突起を設けている、
請求項３に記載した椅子。
【請求項５】
前記ベースは、ガスシリンダよりなる脚支柱の上端に固定されていて、前記ベースに、前記ガスシリンダのロックを解除して高さ調節するための昇降レバーが、当該ベースの上方にはみ出ないようにして取付けられており、前記ベースの上面は、前記リアフレームの基部又はフロントフレームの基部若しくは両方の基部によって全体が覆われている、
請求項１〜４のうちのいずれかに記載した椅子。
【請求項６】
前記左右リアフレームの基部は、当該基部に対して上から挿通されたボルトによって前記ベースに固定されている一方、
前記フロントフレームは左右一対あって両者は共通の基部に一体に繋がっており、前記フロントフレームの基部によって前記リアフレームを固定するボルトが上から覆われている、
請求項３〜５のうちのいずれかに記載した椅子。
【発明の詳細な説明】
【技術分野】
【０００１】
本願発明は、背もたれを備えた椅子に関するものである。
【背景技術】
【０００２】
椅子には様々なタイプがあり、分類の仕方も様々である。大まかには、背もたれを備えているものと備えていないものに大別され、更に、背もたれを備えている椅子は、背もたれが弾性手段に抗して後傾するロッキングタイプと、部材の撓み変形による後傾は別にして基本的には後傾動しないものとに分けられる。
【０００３】
更に、脚装置について見ると、ガスシリンダよりなる脚支柱を備えていて座の高さを調節できる回転椅子と、脚装置が高さ調節できない固定式になっているものとがあり、ガスシリンダよりなる脚支柱を備えている場合は、脚支柱の状態にベースを固定して、ベースに座も背もたれを取付けている。
【０００４】
回転椅子では、一般に背もたれはロッキングタイプになっており、例えば特許文献１に開示されているように、ベースに背支持杆を後傾動可能に連結して、背支持杆に背もたれを取付けている。座は、背もたれの後傾動に連動して後傾又は後退するようになっていることが多い。
【先行技術文献】
【特許文献】
【０００５】
【特許文献１】特開２０１２−４０１１０号公報
【発明の概要】
【発明が解決しようとする課題】
【０００６】
座の下方に配置したベースから立設した背支持杆（背支柱）に背もたれを取り付けた椅子において、例えば、背もたれを後傾させるにおいて、背支持杆は後傾させずに背もたれを簡易な構造で後傾動するように配置したいという要望が考えられる。つまり、ベースを備えた椅子において、構造をできるだけ簡素化したいという要望が考えられる。
【０００７】
この場合、背もたれについては、ベースに後傾動しない固定式のリアフレームを設けて、リアフレームに背もたれを取付けたらよく、また、座については、ベースにフロントフレームを設けて、フロントフレームに座を取付けたらよいといえる。ベースにリアフレームやフロントフレームを一体に設けることも考えられるが、この場合は全体として大きな寸法になるため、アルミダイキャストや樹脂の射出成型で製造するにおいて金型装置が非常に大型化する。従って、現実的ではない。
【０００８】
そして、背もたれを取り付けるためのリアフレームや、座を取り付けるためのフロントフレームをベースに固定する場合、フロントフレームにしてもリアフレームにしても様々な形態が考えられるが、取付け強度や美観などの要素を考慮することが要請される。しかし、このような要請に応える従来技術は見当たらない。
【０００９】
本願発明はこのような状況に基づいて成されたものであり、固定式のリアフレームに背もたれを取付けて、固定式のフロントフレームに座を取り付けてなる椅子において、強度や美観に配慮した構造を実現せんとするものである。また、本願発明では、多くの新規な構成を開示しているが、これらは独立した発明として請求項たり得るものである。
【課題を解決するための手段】
【００１０】
本願発明は様々な構成を含んでおり、その典型を各請求項で特定している。このうち請求項１の発明は、
「座と背もたれ、及び前記座の下方に配置されていて脚装置にて支持されているベースを備えており、前記ベースに、前記座が取り付くフロントフレームと、前記背もたれが取り付くリアフレームとを固定している構成において、
前記フロントフレームとリアフレームとのうちいずれか一方又は両方に、前記ベースに上から重なる基部が一体に形成されており、前記基部とベースには、互いに嵌合して前記基部を水平方向にずれ不能に保持する位置決め手段が形成されており、前記基部をボルトで前記ベースに固定している」
という構成になっている。
【００１１】
この場合、位置決め手段は１組でもよいし、複数組あってもよい。例えば、前後方向のずれを阻止するものと、左右方向のずれを阻止するものとを別々に設けることも可能であるし、１種類の位置決め手段が、前後方向のずれと左右方向のずれとを阻止する機能を備えていてもよい。
【００１２】
請求項２の発明は請求項１における位置決め手段の具体例であり、この発明では、
「前記ベースに、前記位置決め手段として凹部が形成されて、前記フロントフレーム及びリアフレームの基部に、前記凹部と嵌まり合う凸部が形成されており、前記凹部と凸部との箇所において前記基部が前記ボルトでベースに固定されている」
という構成になっている。
【００１３】
請求項３の発明は請求項１又は２の好適な展開例であり、
「前記リアフレームは、前記背もたれの左側方に位置した左背支柱を有する左リアフレームと、前記背もたれの右側方に位置した右背支柱を有する右リアフレームとに分離しており、前記左右のリアフレームにそれぞれ前記基部を一体に設けて、前記左右の基部が、横向きに突出したボスと横向きに開口したボス穴との嵌合わせによって前後ずれ不能に保持されている」
という構成になっている。
【００１４】
更に、請求項３の展開例として、請求項４では、
「前記左右リアフレームの基部には、前記ベースの側面に重なるサイド壁と、前記ベースの後面に重なる後ろ壁とが形成されており、前記左右のサイド壁に、前記ベースの側面に向けて開口したサイド係合溝を形成している一方、前記ベースの左右側面には、前記サイド係合溝に嵌合するサイド突起を設けている」
という構成になっている。
【００１５】
請求項５の発明は、回転椅子に適用している。すなわち、請求項１〜４のうちのいずれかにおいて、
「前記ベースは、ガスシリンダよりなる脚支柱の上端に固定されていて、前記ベースに、前記ガスシリンダのロックを解除して高さ調節するための昇降レバーが、当該ベースの上方にはみ出ないようにして取付けられており、前記ベースの上面は、前記リアフレームの基部又はフロントフレームの基部若しくは両方の基部によって全体が覆われている」
という構成になっている。
【００１６】
請求項５の発明は、請求項３〜５のうちのいずれかにおいて、
「前記左右リアフレームの基部は、当該基部に対して上から挿通されたボルトによって前記ベースに固定されている一方、
前記フロントフレームは左右一対あって両者は共通の基部に一体に繋がっており、前記フロントフレームの基部によって前記リアフレームを固定するボルトが上から覆われている」
という構成になっている。
【発明の効果】
【００１７】
本願発明では、リアフレームの基部又はフロントフレームの基部はベースの上面に重ね固定されているため、リアフレームの基部やフロントフレームの基部が、ベースを上から覆うカバーとして機能しうる。従って、シンプルな形態を実現できる。そして、基部とベースとは位置決め手段によって水平方向にずれ不能に保持されているため、高い固定強度を確保できる。
【００１８】
また、座と背もたれとは固定式のフレームに取付けられているため、フロントフレーム及びリアフレームは、必要な支持強度を確保しつつできるだけスリム化できる。この面でも見た目を良くして商品価値を向上できるといえる。
【００１９】
位置決め手段としては、例えば、ベースに凸部を形成してフレームの基部に凹部を形成することも可能であるが、この場合は、凸部と凹部との嵌まり合いをしっかりと保持するには、フレームの基部を厚肉化せねばならない問題がある。これに対して請求項２では、フレームの基部に凸部が形成されているため、フレームの基部を過剰に厚くする必要はない。このため、軽量化やコンパクト化に貢献できる。
【００２０】
左右のリアフレームにそれぞれ背支柱を設けると、全体として寸法はかなり大きくなる。従って、アルミダイキャストや樹脂の成型によって全体を一体に製造することが可能であるとしても、製造のための金型装置は相当に大型化してしまい、製造コストが相当に嵩んでしまう。
【００２１】
これに対して、請求項３のようにリアフレームを左右に分離すると、リアフレームが背支柱を備えた構造であっても寸法はかなり小さくなるため、金型装置が過剰に大型化することはない。従って、金型装置が過剰に大型化することを防止して、製造の手間を軽減できる。従って、現実的である。
【００２２】
そして、リアフレームが左右に分離しているとガタ付きが発生するおそれがあり、これを防止するためにはボルトの本数を増やす必要があり、すると作業性が悪化するという問題が発生するが、請求項３のように左右のリアフレームをボスとボス穴との嵌合によって位置決めすると、左右のリアフレームは一体化するため、例えば１本ずつのボルトによる締結であっても、ガタ付きなく固定することが可能になる。
【００２３】
着座した人が背もたれにもたれ掛かると、リアフレームには大きなモーメントが作用する。従って、リアフレームは、後傾させようとする荷重をしっかりと支える状態に保持しておく必要がある。この点、請求項４の構成では、まず、リアフレームが下向きの壁を有することによって剛性が格段に向上しており、次に、サイド壁がベースのサイド突起に嵌まっていることにより、リアフレームの後傾に対して極めて高い抵抗が発揮される。
【００２４】
従って、請求項４では、リアフレームの取付け強度を格段に向上できる。また、ベースの外周がリアフレームの壁で覆われるため、ベースが露出することを防止して、美観の向上に貢献できる。
【００２５】
脚支柱がガスシリンダで構成されている場合、ロックを解除して座の高さを調節する昇降レバーが必要である。この場合、昇降レバーをベースの上面に設けると、昇降レバーが人目に触れることによってシンプル性が低下し、商品価値が損なわれてしまうおそれがある。この点、請求項５の構成では、ベースの上面はリアフレーム又はベースの基部で覆われているため、昇降レバーがベースの上に露出して人目に触れることは無い。従って、シンプル性を保持して、商品価値を向上できる。
【００２６】
特に、実施形態のように、昇降レバーをベースの下方から横向きに延出すると、ベースの外周全体をフレームの壁で間断なく囲うことができるため、美観の向上に更に貢献できる。
【００２７】
リアフレームを左右に分離した場合、左右リアフレームの境界線（合わせ面）が露出するが、美観の点からは、境界線の露出はできるだけ少なくするのが好ましい。また、美観向上の点からは、リアフレーム及びフロントフレームを固定するボルト及びボルト挿通穴の露出もできるだけ抑制するのが好ましい。
【００２８】
この点、請求項６の構成では、フロントフレームの１つの基部でリアフレーム固定用のボルトが隠れているため、ボルト及びボルト挿通穴の露出を抑制できる。また、フロントフレームにおける１つの基部は後ろに広がることになるため、左右のリアフレームの境界線の露出も抑制できる。その結果、シンプルさを高めて美観の向上に更に貢献できる。
【図面の簡単な説明】
【００２９】
【図１】実施形態に係る椅子の外観図で、（Ａ）は肘掛けを設けた状態での斜視図、（Ｂ）は肘掛けを設けていない状態での斜視図、（Ｃ）は背面斜視図、（Ｄ）は座を分離した状態の斜視図である。
【図２】（Ａ）は平面図、（Ｂ）は側面図、（Ｃ）は正面図、（Ｄ）は背面図である。
【図３】（Ａ）は分離斜視図、（Ｂ）は座を下方から見た斜視図、（Ｃ）は底面図である。
【図４】フレームの取付け構造を示す図で、（Ａ）はひっくり返した状態での分離斜視図、（Ｂ）は上から見た分離斜視図である。
【図５】ベースとフレームとの関係を示す分離斜視図である。
【図６】（Ａ）は要部の分離斜視図、（Ｂ）はベースの下方斜視図である。
【図７】（Ａ）はベースを省略して下方から見た斜視図、（Ｂ）はベースの斜視図、（Ｃ）は昇降レバーの斜視図である。
【図８】座の取付け構造を示す分離斜視図である。
【図９】（Ａ）は座の支持手段を示す分離斜視図、（Ｂ）は傾動ユニットをひっくり返した状態での斜視図である。
【図１０】第２実施形態を示酢図で、（Ａ）は、フレームをひっくり返した状態で後方から見た分離斜視図、（Ｂ）はリアフレームの分斜視図である。
【図１１】同じく第２実施形態において、フレームをひっくり返した状態で手前側から見た分離斜視図である。
【発明を実施するための形態】
【００３０】
(1).概要
次に、本願発明の実施形態を説明する。本願発明は、オフィス等で使用されている回転椅子に適用している。まず、図１〜３を参照して、椅子の概要を説明する。椅子は、座１と背もたれ２と脚装置３とを備えている。脚装置３は、５本の枝杆と脚支柱４（ガスシリンダ）を備えており、各枝杆の先端にキャスタを設けている一方、脚支柱４の上端にベース５（図３参照）を嵌着している。脚支柱４は、座１の前後中間点よりも少し後ろに配置されている。
【００３１】
ベース５は平面視四角形（横長長方形) のブロック状の形態であり、ベース５に、フロントフレーム６と左右のリアフレーム７とを固定している。フロントフレーム６には左右の角部が形成されており、この左右の角部に座１が前後傾動可能に取付けられている。リアフレーム７は、背もたれ２の側方に位置した背支柱７ｂを有しており、この背支柱７ｂに、背もたれ２が後傾動可能に連結されている。
【００３２】
図１（Ａ）、図２（Ｃ）に示すように、リアフレーム７の上端部に、オプション品として肘掛け８を取り付けることができる。図３（Ｃ）の底面図では、肘掛け８を片側だけに取付けた状態を表示している。肘掛け８を取り付けない状態では、リアフレーム７の背支柱７ｂにはカバー７ｃが取付けられている。例えば図３（Ｂ）に示すように、座１の高さを調節するためのレバー９は、ベース５の下方から横向きに延びる姿勢に配置されている。
【００３３】
図２（Ｂ）（Ｃ）に明示するように、左右のリアフレーム７は、側面視では上に行くに従って前にずれるように傾斜しており、正面視では、上に行くに従って互いの間隔が広がるように傾斜している。フロントフレーム６が前傾しているのは、ベース５が、必要最小限度の前後幅で足りると共に座１の前後中間点よりもやや後ろに配置されていることを前提にして、座１のうち前端寄りの部位をフロントフレーム６に取り付けているからである。
【００３４】
また、フロントフレーム６が正面視で外向きに傾斜しているのは、ベース５は必要最小限度の大きさで足りる一方、座１を安定的に支持するには、左右フロントフレーム６の上端間の間隔にある程度の寸法が必要だからである。
【００３５】
リアフレーム７は、図２（Ｂ）に明示するように、側面視では、ベース５から後傾姿勢で立ち上がって、概ね座１の高さ位置で前傾姿勢に変わるように屈曲したく字形になっており、正面視では、図２（Ｄ）に明示するように、概ね座１の高さまでは上に向けて外広がりに傾斜して、概ね座１よりも上の範囲では背支柱７ｂがほぼ直立している。
【００３６】
リアフレーム７の背支柱７ｂは背もたれ２の下部の左右外側に位置しており、背もたれ２は、その下部を支点にして後傾動するように、リアフレーム７の上端部に取付けられている。従って、背もたれ２の回動支点（回動中心）Ｏ１（図２（Ｂ）参照）は、背もたれ２の肉厚部内に位置している。
【００３７】
ベース５は平面視で座１よりも遥かに小さくて座１の前後中途部の下方に配置されていることから、フロントフレーム６及びリアフレーム７の下半部は、図２（Ｄ）及び図３（Ｃ）に示すように、いわば対角方向に向けて広がるように、正面視及び側面視で傾斜している。換言すると、フロントフレーム６とリアフレーム７とは、平面視四角形のベース５のコーナー部から略対角方向に傾斜姿勢で立ち上がっている。更に換言すると、４本のフレーム６，７が、座１の下方においてベース５に向けて収束するような外観を呈している。
【００３８】
フロントフレーム６はアルミダイキャスト品又は樹脂成型品であり、平面視略角形（横長長方形）のフロント基部６ａが一体に連続している。他方、左右のリアフレーム７もアルミダイキャスト品又は樹脂成型品であって互いに分離しており、それぞれ平面視略四角形のリア基部７ａが一体に形成されている。そして、左右のリア基部７ａは左右に連続するように重なって、左右のリア基部７ａとフロント基部６ａとは前後に重なっている。
【００３９】
例えば図４に明示するように、リアフレーム７のリア基部７ａは、ベース５の後面に重なる後ろ壁７ｄと、ベース５の外側面に重なるサイド壁７ｅとを有している。他方、フロント基部６ａも、ベース５の前面に重なる前壁６ｂと、ベース５の外側面に重なるサイド壁６ｃとを備えている。
【００４０】
従って、フロント基部６ａと左右のリア基部７ａとの三者は全体として１つの部材を成すかのように重なっており、この三者によってベース５が上と外周からすっぽりと覆われている。従って、フロントフレーム６の２本の角部と２本のリアフレーム７とは、平面視略四角形の基部６ａ，７ａから対角方向に傾斜姿勢で立ち上がったような外観を呈しており、ベース５は、椅子をひっくり返さないと視認できない状態になっている。
【００４１】
(2).デザイン的効果
このように、フロントフレーム６及びリアフレーム７は人目に触れるし、また、両者の基部６ａ，７ａも特にバックビューにおいて人目に触れるが、基部６ａ，７ａと座１との間にはフレーム６，７の他には部材は存在しておらずに空間が存在するだけであるため、ごくシンプルなデザインになっている。
【００４２】
また、フロントフレーム６及びリアフレーム７は全体として対角方向に広がるように傾斜しているため、座１や背もたれ２がしっかりと支えられる状態になっている。従って、看者は、シンプルでありながら高い安定性というイメージを看取することができる。別の見方をすると、４本のフレーム６，７が座１の対角方向からベース５に向けて収束しているため、座１及び背もたれ２の支持機能は確保しつつ無駄を無くした外観を呈しており、機能と美観との両方において優れたデザインになっているといえる。
【００４３】
また、リアフレーム７の上半部は側面視で直立姿勢に形成することも可能であるが、背もたれ２の下部は側面視で曲がっていて、曲がりの頂点よりも下方の部位は前傾姿勢になっているため、リアフレーム７の上半部を実施形態のように前傾させると、例えば図１（Ｂ）や図２（Ｂ）、図３（Ａ）から理解できるように、リアフレーム７の背支柱７ｂが背もたれ２の下端部の外側面に略同じ姿勢で重なった状態になるため、姿勢の統一感が出てスッキリとした美的効果が発揮されている。
【００４４】
座１の傾動構造は後述するが、回動支点Ｏ２（図２（Ｂ）参照）は、座１のうち手前寄りに変位している。従って、座１は、後端を自由端にした片持ち梁の状態になっている。また、座１の回動支点Ｏ２も、座１の肉厚部内に位置している。
【００４５】
(3).フレームの取付け構造
次に、ベース５に対するフロントフレーム６及びリアフレーム７の取付け構造の第１実施形態を、主として図４〜７を参照して説明する。
【００４６】
ベース５はアルミダイキャスト品であり、左右横長手のブロック状の形態を成している。中央部には、脚支柱４の上端部が嵌着する中心穴１０を空けている。ベース５の上面のうち前側の部位には、請求項に記載した位置決め手段の一環として、左右一対のフロント凹部１１が形成されて、後ろ側の部位にはリア凹部１２が形成されており、両凹部１１，１２にはタップ穴が空いている。なお、ベース５には、肉厚の均等化や材料節約のために多数の上向き溝が形成されている（ベース５の内部に多数のリブが形成されていると見ることもできる。）。
【００４７】
フロント凹部１１及びリア凹部１２は平面視四角形に形成されている。また、フロント凹部１１はベース５の前面に切り開かれていて、リア凹部１２は上向きに開口しているが、リア凹部１２も切り開き方式に形成することは可能である。また、フロント凹部１１はベース５の左右外面よりも少し内側に位置しているが、リア凹部１２はベース５の左右側部に寄せて配置されている。
【００４８】
フロントフレーム６におけるフロント基部６ａの下面には、ベース５のフロント凹部１１にきっちり嵌合するフロント凸部１３が形成されており、フロント凹部１１及びフロント凸部１３の箇所で、フロントフレーム６がベース５にフロントボルト１４で固定されている。同様に、リアフレーム７のリア基部７ａに、ベース５のリア凹部１２にきっちり嵌合するリア凸部１５が形成されており、リア凹部１２及びリア凸部１５の箇所で、左右のリアフレーム７がそれぞれリアボルト１６によってベース５に固定されている。
【００４９】
フロント基部６ａ及びリア基部７ａには、ボルト１４，１６が挿通される取付け穴１８が空いているが、取付け穴１８には、ボルト１４，１６の頭が隠れる座繰り穴を設けている。
【００５０】
リア基部７ａは、ベース５の上面に対しては、左右側部と後部とに僅かに重なるようにっており、かつ、ベース５の後ろに位置した部分と、ベース５の左右外側に位置した部分とを有している。従って、リア基部７ａは平面視でＬ形に形成されており、その内角部にリア凸部１５が形成されている。
【００５１】
一方、フロント基部６ａは、左右のリアフレーム７で囲われた空間を覆うように、後ろ向きに大きく突出している。すなわち、庇状の部分を有しており、リア凸部１５は、フロントフレーム６における基部６ａの庇状の部分で覆われている。従って、リアボルト１６は外部から視認できず、また、フロントボルト１４の頭も取付け穴１８の内部に入り込んでいるため、殆ど視認し難い。
【００５２】
このような配慮により、フロントフレーム６とベース５とが一体成型品であるかのような外観を呈して、シンプルな美観の形成に貢献している。また、フロントフレーム６と左右のリアフレーム７とはそれぞれ別部材であるため、製造のための金型をできるだけ小さくできる。このため、製造は容易である。リアフレーム７を左右に分離しているのは、リアフレーム７はフロントフレーム６に比べて高さが高くて、一体成型すると金型が相当に大型化するためである。リア基部７ａには、フロント基部６ａの後端部が載る受け片２０を形成している。
【００５３】
なお、フロントフレーム６は、椅子の方向を基準にして述べると、上下方向に相対動する主成型型を備えた金型装置で製造されて、リアフレーム７は、左右方向又は前後方向に相対動する主成型型を備えた金型装置で製造される。図４（Ａ）から理解できるように、フロントフレーム６はベース５の前面よりも手前に張り出しており、この前向き張り出し部の下面に、軽量化や肉厚均等化のための逃がし凹所２１を形成している。
【００５４】
ベース５の凹部１１，１２とフレーム６，７の凸部１３，１５とは四角形に形成されて互いに嵌合しているため、ベース５とフレーム６，７との横ずれが防止されているが、実施形態では、この他にも、リアフレーム７同士の一体性や、フレーム６，７とベース５との一体性等を向上させるための連結手段を講じている。この点を説明する。
【００５５】
まず、左右のリアフレーム７の連結関係であるが、例えば図４（Ａ）のとおり、左右のリア基部７ａのうち一方のリアフレーム７の後部に横向きボス部２２を突設して、他方のリア基部７ａに、横向きボス部２２がきっちり嵌合する横向きボス穴２３を形成している。これら横向きボス部２２と横向きボス穴２３との嵌まり合いにより、左右のリアフレーム７の一体性を向上できる。横向きボス部２２と横向きボス穴２３とは側面視で略三角形になっているが、四角形や円形などの、様々な形態を採用できる（変形例を第２実施形態で触れている。）。
【００５６】
次に、リアフレーム７とベース５との関係であるが、例えば図４（Ｂ）のとおり、ベース５の前部の左右側面に円形のサイド突起２４を横向きに突設している一方、リア基部７ａにおいてベース５の外側面に重なる部分の前部に、サイド突起２４に嵌合するサイド係合溝２５を形成している。これにより、リア基部７ａとベース５との一体性が向上する。
【００５７】
また、ベース５とリアフレーム７との一体性を向上させる手段として、例えば図４（Ａ）に  示すように、フロントフレーム６における基部６ａの後端から平面視四角形の係合片２６を突設している一方、リアフレーム７のリア基部７ａには、係合片２６が上から嵌まる係合段部２７を形成している。係合片２６と係合段部２７とは、フロントフレーム６とリアフレーム７との左右位置を正確に規定する位置決め手段、及び、゛フロントフレーム６の反り防止手段としても機能している。
【００５８】
(4).昇降レバーの取付け構造
図７（Ｃ）に示すように、昇降レバー９は、ベース５に形成した軸受け溝２９に上から嵌まった支軸部９ａと、支軸部９ａの先端から中心穴１０に向けて延びる押圧部９ｂと、支軸部９ａの基端から下向きに延びる垂直部９ｃとを有しており、垂直部９ｃの下端から水平状の指掛け部が横向きに延びている。
【００５９】
押圧部９ｂは、中心穴１０を後傾するボス体に形成した上向き開口の切り開き溝３０に嵌まっている。また、垂直部９ｃはベース５を上下に貫通した穴３１に嵌まっており、昇降レバー９の指掛け部を上向きに引くと、昇降レバー９が支軸部９ａを支点にして回動することにより、押圧部９ｂによって脚支柱４のプッシュバルブ４ａが押し下げられる。これにより、脚支柱４であるガスシリンダのロックが解除されて、座１を高さ調節できる。
【００６０】
そして、本実施形態では、図７（Ｂ）に明示するように、軸受け溝２９は、下向きに凹んだ補助凹所３２に形成されていて、昇降レバー９の支軸部９ａはベース５の上面からある程度の寸法だけ下方に位置している一方、図７（Ａ）に明示するように、フロントフレーム６における基部６ａの下面に、補助凹所３２に上から嵌まり込む軸支突起３３を下向きに突設して、軸支突起３３により、昇降レバー９の支軸部９ａを上向き移動不能に保持している。
【００６１】
従って、昇降レバー９は、フロントフレーム６によって回動自在に保持されており、支軸部９ａを上から抱持する軸受け部材は必要ない。従って、構造を簡素化できる。実施形態では、補助凹所３２がフロントフレーム６の基部６ａで覆われているため、軸支突起３３はフロントフレーム６の基部６ａに形成したが、補助凹所３２がリアフレーム７の基部７ａで覆われている場合は、軸支突起３３はリアフレーム７の基部７ａに形成することになる。
【００６２】
図７（Ｂ）に明示するように、補助凹所３２は、１つのフロント凹部１１の後ろに位置している。従って、昇降レバー９の支軸部９ａはベース５の後ろに寄っており、支軸部９ａの後端に押圧部９ｂを形成している。このため、押圧部９ｂは、平面視において、前後長手線及び左右横向き線に対して傾斜した姿勢になっている。
【００６３】
本実施形態のように、昇降レバー９をベース５の下方に露出させて横向きに延出すると、ベース５の周囲を両フレーム６，７の基部６ａ，７ａで隙間なく囲うことができるため、美観に優れると共に、両フレーム６，７の固定強度も向上できる。
【００６４】
(5).座の取付け構造
次に、フロントフレーム６に対する座１の取付け構造を、主として図７，８を参照して説明する。例えば図７（Ａ）に示すように、フロントフレーム６の上端は前後長手の受け部３５になっており、この受け部３５に、前後長手の座用傾動ユニット３６を介して座１が前後傾動可能に取付けられている。受け部３５は、フロントフレーム６の上端から前後両側にはみ出ている。
【００６５】
例えば図７に明示するように、座用傾動ユニット３６は、前後長手の上下ブラケット３７，３８と、両者の間に配置された前後一対の弾性体３９とを主要部材としている。下ブラケット３８は左右の側板３８ａを有して、正面視で上向き開口コ字形の形態を成しており、フロントフレーム６の受け部３５に形成された上向き開口の凹所に横ずれ不能に嵌まっている。
【００６６】
図３（Ａ）に示すように、座１は、合成樹脂製の座インナーシェル４０にクッション材４０ａを重ね配置した構造になっており、例えば図９（Ａ）に明示するように、座インナーシェル４０の左右両側部に、前後長手で下向きに開口した凹溝４１が形成されており、この凹溝４１に、座用傾動ユニット３６を構成する上ブラケット３７が嵌め込まれている。
【００６７】
上ブラケット３７も左右の側板３７ａを有する下向き開口コ字型の形態であり、図９（Ｂ）から理解できるように、上ブラケット３７で下ブラケット３８が覆われている。上ブラケット３７及び凹溝４１は、概ね下ブラケット３８の前後長さの２倍強の長さになっており、下ブラケット３８の手前に少しはみ出て、後ろには大きくはみ出ている。
【００６８】
具体的には、上ブラケット３７は、下ブラケット３８と略同じ程度の寸法だけ、上ブラケット３７の後ろにはみ出ている。このように上ブラケット３７が下ブラケット３８よりも遥かに長いのは、座インナーシェル４０が樹脂製であることを考慮して、必要な支持強度を確保するためである。上ブラケット３７及び凹溝４１の後半部は細くなっているが、これは、細くしても必要な強度は確保できるためである。
【００６９】
フロントフレーム６は樹脂の成型品であるが（アルミダイキャスト品であってもよい）、受け部３５は、上ブラケット３７のように長く形成しなくても必要な強度は確保できる。そして、実施形態のように上ブラケット３７を受け部３５の後ろに大きくはみ出させると（オーバーハングさせると）、受け部３５を凹溝４１にできるだけ深く嵌め入れつつ、座１の後傾動を許容できると共に、座１の支持強度を格段に向上できる。
【００７０】
図９（Ａ）に示すように、上ブラケット３７は前後の上ビスで座インナーシェル３４に固定されている一方、下ブラケット３３は、前部に位置した下ビスでフロントフレーム６の受け部３５に固定されている。座インナーシェル３４の上面には、図８に示すように、上ビス（図示せず）がねじ込まれるＴ形ナット４２ａを配置している。従って、座インナーシェル３４が樹脂製であっても、高い締結強度を確保できる。
【００７１】
実施形態のように、下ブラケット３８の後部のバーリング部４７は、受け部３５に対する締結手段と弾性体３９の位置決め手段とを兼用しているため、それだけ構造を簡単化できる。
【００７２】
また、図９（Ｂ）に示すように、下ブラケット３８の後端に係合片３８ｂを形成している一方、図９（Ａ）に示すように、受け部３５の後端部に位置決め溝４４を形成し、係合片３８ｂを位置決め溝４４に手前から差し込んでいる。従って、下ブラケット３８は、その後端は位置決め溝４４によって上下動不能に保持されており、その結果、下ブラケット３８は１本の下ビス（図示せず）のみで受け部３５に離脱不能に保持されている。
【００７３】
上ブラケット３７と下ブラケット３８とは、左右長手の枢支ピン４５によって相対回動可能に連結されている。枢支ピン４５は、ブッシュ３９ａ介して上下ブラケット３７，３８の側板３７ａ，３８ａを連結している。そして、枢支ピン４５を挟んだ前後両側に、樹脂系ゴム（チェラスト）から成る角形ブロック状の弾性体３３を配置している。
【００７４】
図８に示すように、弾性体３９にの上下面に位置決め穴４６が形成されている一方、上ブラケット３７と下ブラケット３８とには、図８（図９（Ｂ）も参照）に示すように、位置決め穴４６に嵌まるバーリング部４７を形成している。従って、弾性体３９は、その周囲を他の部材で規制されていない状態でも、前後左右のいずれの方向にもれずれ不能に保持されている。下ビス（図示せず）は、上下ブラケット３７，３８のバーリング部４７にねじ込んでいる。弾性体３３は、予め圧縮した状態（プリテンションを掛けた状態）で座用傾動ユニット３６にセットされている。
【００７５】
図９（Ａ）から理解できるように、座インナーシェル４０における凹溝４１の内側面には、枢支ピン４５の端部を逃がすための補助凹所４１ａを形成している。このため、上ブラケット３７を凹溝４１にきっちりと嵌め込んで、座用傾動ユニット３６の姿勢も正確に揃えることができる。
【００７６】
(6).第２実施形態.
次に、図１０及び図１１に示す第２実施形態を説明する。この実施形態は、ベース５とフロントフレーム６及びリアフレーム７との取付け構造の別例である。この第２実施形態は、第１実施形態と基本構造において大きな違いはない。このため、第２実施形態と同じ機能の要素は第１実施形態と同じ符号を付している。なお、図１０（Ａ）及び図１１では、ベース５はフロントフレーム６及びリアフレーム７よりも大きな縮尺で表示している。
【００７７】
本実施形態は、第１実施形態との相違点として、第１実施形態と同じ要素を備えているもののその形状が相違する点と、第１実施形態にはない位置決め手段を備えている点とがある。まず、形状の相違点として、図１０に示すように、左右のリアフレーム７を連結するための横向きボス部２２と横向きボス穴２３との点がある。
【００７８】
すなわち、本実施形態では、横向きボス部２２が側面視コ字型になっている一方、横向きボス穴２３は台形状になっている。横向きボス部２２の前後幅は横向きボス穴２３の前後幅よりもかなり小さいが、横向きボス部２２と横向きボス穴２３とは、左右のリアフレーム７の上下高さを揃えることを主眼に設けているため、このような形態でも目的は十分に達成できる。
【００７９】
本実施形態では、左右のリアフレーム７をきっちり嵌め合わせる手段として、横向きボス穴２３の開口縁に段部２３ａを全周に亙って形成している一方、横向きボス部２２を設けたリアフレーム７には、段部２３ａに嵌まる突条２２ａを形成している。また、横向きボス部２２を設けたリアフレーム７には、肉厚をできるだけ均等化するための肉盗み穴２２ｂを形成している。
【００８０】
第１実施形態ではサイド突起２４を円形に形成していたが、本実施形態では、図１１に示すように、再度突起２４は小判形に形成されている。従って、リアフレーム７のサイド係合溝２５との密着性が向上して、リアフレーム７とベース５との一体性も高まっている。
【００８１】
次に、フロント凹部１１とフロント凸部１３とについて述べると、フロント凹部１１は第１実施形態と同様に平面視四角形に形成されているが、図１０（Ａ）のとおり、フロント凸部１３は底面視Ｕ形に形成されている。
【００８２】
また、ベース５に設けたリア凹部１２とリアフレーム７に設けたリア凸部１５とについては、図１１に明示するように、本実施形態では、リア凹部１２は、後ろ向きに開口した切り開きタイプになっており、これに伴って、リア突部１５はリア基部７ａと一体に繋がっている。従って、リア突部１５の強度は高くなっている。
【００８３】
また、リア凹部１２とリア凸部１５とは、背面視及び正面視で逆台形になっている。従って、リアボルト１６によって締め付けると、リア凹部１２とリア凸部１５とはきっちり密着する。その結果、リアフレーム７とベース５との位置決め機能（左右方向のずれ防止機能）を向上できると共に、隙間を無くして締結強度も向上できる。
【００８４】
本実施形態では、第１実施形態にはない位置決め手段として、ベース５の前部でかつ左右中間部にセンター係合穴４４を形成している一方、フロントフレーム６におけるフロント基部６ａの下面に、センター係合穴４４に嵌合するセンター突起４５を形成している。センター係合穴４４とセンター突起４５とは上広がりのテーパ状に形成されている。
【００８５】
従って、フロントフレーム６をベース５に締結すると、センター係合穴４４とセンター突起４５とが密着して、高い位置決め機能を発揮する（センター係合穴４４とセンター突起４５とは円形なので、フロントフレーム６とベース５とは、前後左右のどの方向にもずれ不能に保持される。）。
【００８６】
更に、リアフレーム７とベース５との新たな位置決め手段として、図１１のとおり、ベース５の後端部でかつ左右中間部に、リブ４６を切欠いて左右一対のリアインサイド凹所４７を形成している一方、リアフレーム７の内端部に、リアインサイド凹所４７に上から嵌まる鉤状のリアインサイド係合部４８を形成している。左右のリアフレーム７のリアインサイド係合部４８は、左右に重なっている。リアフレーム７において、リアインサイド係合部４８とリア凸部１５とは、リア基部７ａのうちベース５の上面に重なるフランジ状部７ａ′を介して繋がっている。
【００８７】
ベース５の後面板４９には、リアインサイド係合部４８が嵌まる凹所５０が、上向きに切り開かれた状態に形成されている。この点でも、リアフレーム７とベース５との左右ずれが規制されている。また、図１０（Ａ）に示すように、リアインサイド係合部４８の上面には段部４８ａが形成されている一方、フロントフレーム６を構成するフロトン基部６ａの後端縁には、リアインサイド係合部４８の段部４８ａに重なる重合部５１を形成している。これによっても、フロントフレーム６とリアフレーム７との一体性が高まっている。
【００８８】
なお、第１実施形態では、図４のとおり、フロント基部６ａの後端に係合片２６を設けてリア基部７ａの前端に係合段部２７を形成したが、本実施形態では、係合片２６及び係合段部２７の機能は、リアインサイド係合部４８の段部４８ａとフロント基部６ａの重合部５１とが担っている。図１０（Ａ）及び図１１の両方に示すように、本実施形態では、フロントフレーム６を構成するフロント基部６ａの下面に、脚支柱４と同心の凹所５２を形成している。
【００８９】
以上、本願発明の実施形態を説明したが、本願発明は他にも様々に具体化できる。例えば、フロントフレーム及びリアフレームとベースとの位置決め手段としては、フロントフレームとリアフレームとを一体に形成して、両者が繋がった基部を下向き開口の枠状に形成し、これをベースにすっぽり被せるといったことも可能である。また、本願発明の適用対象は回転椅子には限らず、座が回転及び昇降しない固定脚式椅子にも適用できる。
【００９０】
実施形態ではリアフレームを左右に分離したが、リアフレーム一体品として製造することも可能である。この場合は、実施形態のような左右のリアフレーム７を位置決めする手段は不要になる。位置決め手段としては、例えば、ベースとフロントフレーム又はリアフレーム７（若しくは両方）に同心の穴を設けて、この上下の穴に位置決めピンを嵌合させるといったことも可能である。
【産業上の利用可能性】
【００９１】
本願発明は、椅子に具体化できる。従って、産業上利用できる。
【符号の説明】
【００９２】
１  座
２  背もたれ
４  脚支柱
５  ベース
６  フロントフレーム
６ａ  フロント基部（フロントフレームの基部）
６ｂ，６ｃ  壁
７  リアフレーム
７ａ  リア基部（リアフレームの基部）
７ｂ  背支柱
７ｄ  後ろ壁
７ｅ  サイド壁
９  昇降レバー
１１  位置決め手段を構成するフロント凹部
１２  位置決め手段を構成するリア凹部
１３  位置決め手段を構成するフロント凸部
１４，１６  ボルト
１５  位置決め手段を構成するリア凸部
２２  ボス部
２３  ボス穴
２４  サイド突起
２５  サイド係合溝
【図１】
2020018573.tif 000003
【図２】
2020018573.tif 000004
【図３】
2020018573.tif 000005
【図４】
2020018573.tif 000006
【図５】
2020018573.tif 000007
【図６】
2020018573.tif 000008
【図７】
2020018573.tif 000009
【図８】
2020018573.tif 000010
【図９】
2020018573.tif 000011
【図１０】
2020018573.tif 000012
【図１１】
2020018573.tif 000013